(57)【要約】      （修正有）【課題】天板上に自立が可能で、長さも調節可能な汎用性を向上させることのできる間仕切り板を提供する。【解決手段】間仕切り板１０は、第１壁部２１、及び第１壁部から屈曲して延びる第２壁部２２を含む一対の遮蔽板２０を備える。また、間仕切り板は、第１壁部の表面側に配置された表面部５１、及び表面部から折り返された形状に構成されて第１壁部の裏面側に配置される第１裏面部５２を含み、表面部及び第１裏面部によって一対の遮蔽板の各々を厚さ方向に挟んで摺動可能に支持することで一対の遮蔽板を連結する連結部材５０を備える。【選択図】図１
0003227905.tif 000002
【実用新案登録請求の範囲】
【請求項１】
第１壁部、及び該第１壁部から屈曲して延びる第２壁部を含む一対の遮蔽板と、
前記遮蔽板の表面側に配置された表面部、及び該表面部から折り返された形状に構成されて前記遮蔽板の裏面側に配置された裏面部を含み、前記表面部及び前記裏面部によって前記遮蔽板の各々を厚さ方向に挟んで摺動可能に支持することで前記一対の遮蔽板を連結する連結部材とを備える
間仕切り板。
【請求項２】
前記連結部材は、透明であり、前記一対の遮蔽板が互いに離間した状態において該一対の遮蔽板の間に形成される隙間を覆う
請求項１に記載の間仕切り板。
【請求項３】
前記遮蔽板は、前記第１壁部と前記第２壁部との長さが異なっており、前記連結部材に対して着脱可能である
請求項１または２に記載の間仕切り板。
【請求項４】
前記第２壁部は、前記第１壁部に対して折り畳み可能に構成されている
請求項１〜３のいずれか一項に記載の間仕切り板。
【考案の詳細な説明】
【技術分野】
【０００１】
本考案は、机やテーブル等の天板の上に設置される間仕切り板に関する。
【背景技術】
【０００２】
従来、机やテーブル等の天板の上に間仕切り板を設置して、卓上の空間を仕切ることがある。間仕切り板は、天板に対し起立した状態で設けられる遮蔽板を備える。例えば、遮蔽板は、使用者から見たときに天板の奥側に配置される正面壁部と、該正面壁部の両端から天板の手前側に屈曲して延びる一対の側壁部とを有し、平面視コ字状に構成される。これにより、卓上の空間を前方や側方に対して仕切る。天板の大きさは机やテーブルによって各々異なっている。そのため、間仕切り板の長さは、設置される天板の周縁の長さに合わせて適切な長さとなるように予め設計される。
【考案の概要】
【考案が解決しようとする課題】
【０００３】
ところで、上述した従来の間仕切り板の場合、間仕切り板の長さは設置される天板の大きさに合わせて予め設計されている。そのため、設置される天板とは異なる大きさの天板の上に設置した場合、間仕切り板の長さが適切とならない場合があり、汎用性に乏しい。
【０００４】
本考案の目的は、汎用性を向上させることのできる間仕切り板を提供することにある。
【課題を解決するための手段】
【０００５】
上記目的を達成するための間仕切り板は、第１壁部、及び該第１壁部から屈曲して延びる第２壁部を含む一対の遮蔽板と、前記遮蔽板の表面側に配置された表面部、及び該表面部から折り返された形状に構成されて前記遮蔽板の裏面側に配置された裏面部を含み、前記表面部及び前記裏面部によって前記遮蔽板の各々を厚さ方向に挟んで摺動可能に支持することで前記一対の遮蔽板を連結する連結部材とを備える。
【０００６】
上記構成では、遮蔽板は、第１壁部と第２壁部とによって平面視Ｌ字状を構成するため、設置した際に自立可能になる。また、連結部材に対して遮蔽板を摺動させることで、一対の遮蔽板同士の距離を変化させることも可能になる。上記構成によれば、間仕切り板を天板上に起立した状態で設置するための支持具が必要なく、また、一対の遮蔽板同士の距離を変化させることで間仕切り板全体の長さを調節することができる。したがって、間仕切り板の汎用性を向上させることが可能になる。
【０００７】
また、上記間仕切り板では、前記連結部材は、透明であり、前記一対の遮蔽板が互いに離間した状態において該一対の遮蔽板の間に形成される隙間を覆うことが望ましい。
上記構成では、一対の遮蔽板が互いに離間した状態となっている場合、遮蔽板の間に形成される隙間が連結部材によって覆われる。そのため、該隙間を通じて間仕切り板の表面側と裏面側との間で飛沫等の異物が拡散することが抑えられる。また、連結部材は透明であることから、隙間を覆うことによって視界が遮られることを抑えることができる。したがって、上記構成によれば、一対の遮蔽板の間に形成される隙間を通じた異物の拡散を抑えつつも、間仕切り板越しの視界を確保することが可能になる。
【０００８】
また、上記間仕切り板では、前記遮蔽板は、前記第１壁部と前記第２壁部との長さが異なっており、前記連結部材に対して着脱可能であることが望ましい。
遮蔽板としては、第１壁部と第２壁部との長さを異なるように構成する場合がある。上記構成のように、こうした場合に遮蔽板を連結部材に対して着脱可能にすることで、連結部材に組付ける部分を第１壁部と第２壁部とで切り替えることが可能になる。したがって、上記構成によれば、間仕切り板全体の長さを一層柔軟に調節することが可能になり、汎用性をより高めることが可能になる。
【０００９】
また、上記間仕切り板では、前記第２壁部は、前記第１壁部に対して折り畳み可能に構成されていることが望ましい。
上記構成によれば、間仕切り板を使用しないときには、第２壁部を第１壁部に対して折り畳むことで、体格を小さくできる。したがって、輸送や保管に係る空間の省スペース化を図ることができる。
【考案の効果】
【００１０】
本考案によれば、間仕切り板の汎用性を向上させることができる。
【図面の簡単な説明】
【００１１】
【図１】間仕切り板の一実施形態を正面側から見たときの斜視図。
【図２】遮蔽板の展開図。
【図３】間仕切り板を裏面側から見たときの斜視図。
【図４】間仕切り板の長さを変化させたときの状態を正面側から見たときの斜視図。
【図５】遮蔽板の他の組付け状態を正面側からみたときの斜視図。
【図６】間仕切り板を折り畳んだ状態を裏面側から見たときの斜視図。
【考案を実施するための形態】
【００１２】
以下、間仕切り板の一実施形態について、図１〜図６を参照して説明する。
図１に示すように、机などの天板１００の上に設置される間仕切り板１０は、一対の遮蔽板２０と、一対の遮蔽板２０を連結する連結部材５０とを備えている。以下では、一対の遮蔽板２０が並んでいる方向（図１の左右方向）を長さ方向として説明する。また、一対の遮蔽板２０は、長さ方向における一方（図１の左方）に位置する第１遮蔽板２０Ａの構成に対して、長さ方向における他方（図１の右方）に位置する第２遮蔽板２０Ｂの構成は左右対称であることから、以下では第１遮蔽板２０Ａの構成について説明し、第２遮蔽板２０Ｂの構成については同様の符号を付して重複する説明を省略する。
【００１３】
第１遮蔽板２０Ａは、第１壁部２１、及び該第１壁部２１から屈曲して延びる第２壁部２２からなる。第１壁部２１及び第２壁部２２は、各々矩形板状に構成されており、天板１００に対し起立している。使用者から見たときには、第１壁部２１が正面奥側に位置し、第２壁部２２は左側方に位置する。
【００１４】
図２に示すように、第１遮蔽板２０Ａは、所定の形状に切り抜かれた厚紙などのシート材を折り曲げることによって形成される。なお、シート材の表面に模様等が印刷されていてもよい。
【００１５】
シート材は、第１壁部２１を構成する第１要素部３０と、第２壁部２２を構成する第２要素部４０とを有している。なお、図２において、第１要素部３０と第２要素部４０とが並んでいる方向を左右方向とし、左右方向に直交する方向を上下方向として説明する。
【００１６】
第１要素部３０は、矩形状の第１本体部３１を有している。第１本体部３１の周縁には、第１補強部３２、第２補強部３３、及び第３補強部３４が設けられている。第１補強部３２、第２補強部３３、及び第３補強部３４は、第１本体部３１に対し、破線部分で折り返し可能に形成されている。
【００１７】
第１要素部３０において、第１補強部３２、第２補強部３３、及び第３補強部３４を破線部分で折り返し、第１本体部３１に重ねる。そして、各補強部３２，３３，３４を第１本体部３１に例えば接着する等して固定することで、第１壁部２１を構成する。
【００１８】
図３に示すように、各補強部３２，３３，３４は、折り返したときに各々重ならないように形状が設定されている。これにより、第１壁部２１は、周縁部の厚さが部分的に厚くなり、補強される。図３に示す状態では、第１本体部３１によって第１壁部２１の表面が構成され、第１本体部３１及び各補強部３２，３３，３４によって第１壁部２１の裏面が構成されている。
【００１９】
図２に示すように、第２要素部４０は、第１本体部３１の左端に繋がっている矩形状の第２本体部４１を有している。第２本体部４１の上下方向の寸法は、第１本体部３１の上下方向の寸法と等しい。また、第２本体部４１の左右方向の寸法は、第１本体部３１の左右方向の寸法よりも大きい。第２本体部４１の周縁には、第４補強部４２、第５補強部４３、及び第６補強部４４が設けられている。第４補強部４２、第５補強部４３、及び第６補強部４４は、第２本体部４１に対し、破線部分で折り返し可能に形成されている。
【００２０】
図示はしていないが、第２要素部４０においても第１要素部３０と同様に、第４補強部４２、第５補強部４３、及び第６補強部４４を破線部分で折り返し、第２本体部４１に重ねる。そして、各補強部４２，４３，４４を第２本体部４１に例えば接着する等して固定することで、第２壁部２２を構成する。各補強部４２，４３，４４は、折り返したときに各々重ならないように形状が設定されている。これにより、第２壁部２２は、周縁部の厚さが部分的に厚くなり、補強される。第２本体部４１によって第２壁部２２の表面が構成され、第２本体部４１及び各補強部４２，４３，４４によって第２壁部２２の裏面が構成されている。
【００２１】
また、第１本体部３１と第２本体部４１とは一枚のシート材で構成されていて繋がっている。そのため、図２の一点鎖線の部分で折り曲げることにより、第１壁部２１に対して第２壁部２２を屈曲させることができる。すなわち、第１壁部２１に対して第２壁部２２を略垂直に屈曲させて遮蔽板を平面Ｌ字状とすることや、第１壁部２１に対して第２壁部２２を折り畳んだ状態とすることができる。なお、本実施形態では、図２の一点鎖線の部分と破線部分とで折り曲げる方向を反対にしている。
【００２２】
図１に示すように、間仕切り板１０を使用するときには、一対の遮蔽板２０の各々を平面視Ｌ字状に構成して自立させる。なお、上述したように、第２本体部４１の左右方向における寸法は、第１本体部３１の左右方向における寸法よりも大きいことから、第２壁部２２の長さＬ２は、第１壁部２１の長さＬ１よりも長い。一対の遮蔽板２０は、第２壁部２２同士が長さ方向において互いに対向した状態で配置されることで平面視コ字状をなす。この状態では、一対の遮蔽板２０のうち、第１壁部２１が使用者から見たときに天板１００の奥側に配置される正面壁部として機能し、第２壁部２２が側方との仕切りとなる側壁部として機能する。
【００２３】
図１及び図３に示すように、連結部材５０は、透明な樹脂素材から構成されている。連結部材５０は、第１壁部２１の表面側に配置された矩形状の表面部５１を備えている。また、連結部材５０は、表面部５１の上端から折り返された形状に構成されて第１壁部２１の裏面側に配置された第１裏面部５２と、表面部５１の下端から折り返された形状に構成されて第１壁部２１の裏面側に配置された第２裏面部５３とを備えている。第１裏面部５２及び第２裏面部５３は、表面部５１における長さ方向の一端から他端まで連続して設けられている。また、第１裏面部５２及び第２裏面部５３は、上下方向において互いに離間している。
【００２４】
一対の遮蔽板２０は、第１壁部２１を表面部５１と第１裏面部５２との間、及び表面部５１と第２裏面部５３との間に挿通することで連結部材５０に組付けられている。これにより、第１壁部２１の各々が厚さ方向に挟まれて摺動可能に支持される。すなわち、一対の遮蔽板２０は、連結部材５０に対して長さ方向に摺動可能な状態で連結されている。また、一対の遮蔽板２０は、連結部材５０に組付けられた状態から摺動させることで取り外すこともできる。図１に示すように、表面部５１は、第１壁部２１が摺動する長さ方向と直交する上下方向において第１壁部２１の一端から他端まで連続して延びている。換言すれば、表面部５１によって、第１壁部２１の表面の一部が上下方向における全体に亘って覆われている。
【００２５】
次に、本実施形態の作用について説明する。
図４に示すように、間仕切り板１０を、例えば机の天板１００上に設置する際には、まず第１壁部２１に対して第２壁部２２を略垂直に屈曲させる。これにより、一対の遮蔽板２０の各々を平面視Ｌ字状に構成して自立させる。そして、連結部材５０に対して第１壁部２１を長さ方向に摺動させて遮蔽板２０と連結部材５０との相対位置を変化させる。これにより、図１に示すように一対の遮蔽板２０が互いに当接した状態から、図４に示すように一対の遮蔽板２０が離間した状態とする。このように遮蔽板２０同士の距離が変化することによって、間仕切り板１０全体の長さＬが天板１００の長さに合わせた適切な長さとなるように調節される。
【００２６】
連結部材５０の表面部５１は上下方向において第１壁部２１の一端から他端まで連続して延びている。そのため、一対の遮蔽板２０が離間した状態において、該一対の遮蔽板２０の間に形成される隙間の全体が表面部５１によって覆われる。これにより、上記隙間を通じて間仕切り板１０の表面側と裏面側との間で飛沫等の異物が拡散することが抑えられる。また、連結部材５０が透明であることから、表面部５１によって隙間を覆った場合でも視界が遮られることが抑えられる。
【００２７】
なお、天板１００の長さに合わせる上で、間仕切り板１０の長さＬをさらに伸ばす必要があるときには、一対の遮蔽板２０を連結部材５０から取り外し、第１壁部２１よりも長い第２壁部２２を表面部５１と各裏面部５２，５３との間に挿通することで連結部材５０に組付ける。
【００２８】
図５に示すように、第１壁部２１よりも長い第２壁部２２を長さ方向に沿って配置することで、間仕切り板１０の長さＬを一層長くすることができる。なお、図５に示す状態では、間仕切り板１０において、第２壁部２２が正面壁部として機能し、第１壁部２１が側壁部として機能する。
【００２９】
このように、一対の遮蔽板２０の第１壁部２１と第２壁部２２との長さを異なるように構成した場合には、連結部材５０へ組付ける部分を第１壁部２１と第２壁部２２とで切り替えることにより、間仕切り板１０全体の長さＬを調節することもできる。また、天板１００が小さい場合には、第１壁部２１及び第２壁部２２のうち短い方の壁部を連結部材５０に組付けることで、間仕切り板１０全体の長さを一層短くしてもよい。
【００３０】
また、図６に示すように、間仕切り板１０を使用しないときには、第２壁部２２を第１壁部２１に対して折り畳む。これにより、間仕切り板１０を平板状に変形させて体格を小さくする。
【００３１】
以上説明した本実施形態に係る間仕切り板１０によれば、以下に示す効果が得られるようになる。
（１）間仕切り板１０を天板１００上に起立した状態で設置するための支持具が必要なく、また、一対の遮蔽板２０同士の距離を変化させることで間仕切り板１０全体の長さＬを調節することができる。したがって、間仕切り板１０の汎用性を向上させることが可能になる。
【００３２】
（２）一対の遮蔽板２０の間に形成される隙間を通じた異物の拡散を抑えつつも、間仕切り板１０越しの視界を確保することが可能になる。
（３）一対の遮蔽板２０を連結部材５０に対し着脱可能に組み付けたため、間仕切り板１０の全体の長さＬを一層柔軟に調節することが可能になり、汎用性をより一層高めることが可能になる。
【００３３】
（４）間仕切り板１０の輸送や保管に係る空間の省スペース化を図ることができる。
＜変更例＞
上記実施形態は、例えば以下のように変更して実施することもできる。本実施形態及び以下の変更例は、技術的に矛盾しない範囲で互いに組み合わせて実施することができる。
【００３４】
・第２壁部２２を第１壁部２１に対して折り畳み可能に構成したが、例えば、第２壁部２２を第１壁部２１に対して接着して所定の屈曲角度で固定するなどして、折り畳みできない構成としてもよい。
【００３５】
・第１壁部２１の長さＬ１と第２壁部２２の長さＬ２とを同じにしてもよい。
・一対の遮蔽板２０のうち少なくとも一方を連結部材５０に対し着脱不能に組付けるようにしてもよい。
【００３６】
・表面部５１を、上下方向において第１壁部２１の一端から他端まで連続して延びるように構成したが、この構成は変更が可能である。例えば、表面部５１を上下方向に分割した構成したり、表面部５１に孔やスリットを形成したりすることで、一対の遮蔽板２０が離間したときの隙間の一部を覆わない構成としてもよい。
【００３７】
・連結部材５０では、表面部５１によって一対の遮蔽板２０の間に形成される隙間を覆うようにしたが、連結部材５０の裏面部によって該隙間を覆うようにすることも可能である。
【００３８】
・連結部材５０は透明なものに限らず、光を透過しない素材で構成してもよい。
・第１裏面部５２及び第２裏面部５３は、表面部５１の長さ方向における一端から他端まで連続して設けられる必要はなく、該一端から他端までの間に部分的に設けてもよい。また、第１裏面部５２及び第２裏面部５３の何れか一方を省略してもよい。
【００３９】
・一対の遮蔽板２０において、連結部材５０に組付けられる壁部を同じ壁部としていたが、異なるようにしてもよい。すなわち、第１遮蔽板２０Ａでは第１壁部２１を連結部材５０に組付け、第２遮蔽板２０Ｂでは第２壁部２２を連結部材５０に組付けるといった構成も採用できる。
【００４０】
・一対の遮蔽板２０において、第１遮蔽板２０Ａ及び第２遮蔽板２０Ｂを左右対称の構成としたが、一対の遮蔽板の構成はこれに限らない。例えば第１遮蔽板２０Ａの第１壁部２１の長さと、第２遮蔽板２０Ｂの第１壁部２１の長さとを異なるようにしてもよい。
【符号の説明】
【００４１】
１０…間仕切り板
２０…一対の遮蔽板
２０Ａ…第１遮蔽板
２０Ｂ…第２遮蔽板
２１…第１壁部
２２…第２壁部
３０…第１要素部
３１…第１本体部
３２…第１補強部
３３…第２補強部
３４…第３補強部
４０…第２要素部
４１…第２本体部
４２…第４補強部
４３…第５補強部
４４…第６補強部
５０…連結部材
５１…表面部
５２…第１裏面部
５３…第２裏面部
１００…天板
【図１】
0003227905.tif 000003
【図２】
0003227905.tif 000004
【図３】
0003227905.tif 000005
【図４】
0003227905.tif 000006
【図５】
0003227905.tif 000007
【図６】
0003227905.tif 000008